(57)【特許請求の範囲】
【請求項１】
端末装置（３）のユーザの各行動の重要度を規定する重要度テーブル（５）を備え、
前記端末装置（３）の利用履歴から該端末装置（３）のユーザの行動を特定し、
所定の規則に従って、前記ユーザの行動を表す文章を生成し、
前記文章を所定の順序で記載して日記を生成し、
前記端末装置（３）の利用履歴から特定した前記ユーザの行動の重要度を、前記重要度テーブル（５）から特定し、
前記ユーザの行動を前記日記に記載するか否かを、該行動の重要度に応じて異なる割合で決定する、
ことを特徴とする日記生成装置（４）。
【請求項２】
前記ユーザの行動を表す文章を、該行動の重要度に応じて異なる文体で生成する、
ことを特徴とする請求項１に記載の日記生成装置（４）。
【請求項３】
前記ユーザの行動を表す文章の前記日記に占める割合を、該行動の重要度に応じて異ならせる、
ことを特徴とする請求項１に記載の日記生成装置（４）。
【請求項４】
前記端末装置（３）からネットワーク（Ｎ）を介して送信される、該端末装置（３）の利用履歴を含む日記生成要求を受信したことに応答して、該日記生成要求に含まれる該端末装置（３）の利用履歴から前記ユーザの行動を特定し、
前記所定の規則に従って、前記ユーザの行動を表す文章を生成し、
前記文章を前記所定の順序で記載して日記を生成し、
前記日記を前記ネットワーク（Ｎ）を介して前記端末装置（３）に表示させる、
ことを特徴とする請求項１に記載の日記生成装置（４）。
【請求項５】
端末装置（３）と、
前記端末装置（３）とネットワーク（Ｎ）を介して接続され、該端末装置（３）のユーザの日記を生成する日記生成装置（４）と、
を具備する日記生成システム（１）であって、
前記端末装置（３）は、
該端末装置（３）の利用履歴を含む日記生成要求を前記ネットワーク（Ｎ）を介して前記日記生成装置（４）に送信し、
前記日記生成装置（４）は、
前記ユーザの各行動の重要度を規定する重要度テーブル（５）を備え、
前記端末装置（３）からネットワーク（Ｎ）を介して送信される前記日記生成要求を受信したことに応答して、該日記生成要求に含まれる該端末装置（３）の利用履歴から前記ユーザの行動を特定し、
所定の規則に従って、前記ユーザの行動を表す文章を生成し、
前記文章を所定の順序で記載して日記を生成し、
前記日記を前記ネットワーク（Ｎ）を介して前記端末装置（３）に表示させ、
前記端末装置（３）の利用履歴から特定した前記ユーザの行動の重要度を、前記重要度テーブル（５）から特定し、
前記ユーザの行動を前記日記に記載するか否かを、該行動の重要度に応じて異なる割合で決定する、
ことを特徴とする日記生成システム（１）。
【請求項６】
端末装置（３）のユーザの各行動の重要度を規定する重要度テーブル（５）を備える日記生成装置（４）の日記生成方法であって、
前記端末装置（３）の利用履歴から該端末装置（３）のユーザの行動を特定し、
所定の規則に従って、前記ユーザの行動を表す文章を生成し、
前記文章を所定の順序で記載して日記を生成し、
前記端末装置（３）の利用履歴から特定した前記ユーザの行動の重要度を、前記重要度テーブル（５）から特定し、
前記ユーザの行動を前記日記に記載するか否かを、該行動の重要度に応じて異なる割合で決定する、
ことを特徴とする日記生成方法。
【請求項７】
端末装置（３）のユーザの各行動の重要度を規定する重要度テーブル（５）を備える日記生成装置（４）のコンピュータに、
前記端末装置（３）の利用履歴から該端末装置（３）のユーザの行動を特定する手順と、
所定の規則に従って、前記ユーザの行動を表す文章を生成する手順と、
前記文章を所定の順序で記載して日記を生成する手順と、
前記端末装置（３）の利用履歴から特定した前記ユーザの行動の重要度を、前記重要度テーブル（５）から特定する手順と、
前記ユーザの行動を前記日記に記載するか否かを、該行動の重要度に応じて異なる割合で決定する手順と、
を実行させるためのプログラム。
【発明の詳細な説明】
【技術分野】
【０００１】
本発明は、日記生成装置、日記生成システム、日記生成方法、及びプログラムに関し、特に、日記を容易に生成可能な日記生成装置、日記生成システム、日記生成方法、及びプログラムに関する。
【背景技術】
【０００２】
ギャンブル依存症等の精神的疾病の治療において、患者が日記をつけることが効果的とされている（例えば特許文献１参照）。なお、本明細書中に特許文献１の明細書、特許請求の範囲、図面全体を参考として取り込むものとする。
【先行技術文献】
【特許文献】
【０００３】
【特許文献１】実登３０７５７３３号公報
【発明の概要】
【発明が解決しようとする課題】
【０００４】
しかし、患者が継続して日記をつけることは現実的にかなり難しく、挫折する可能性が極めて高かった。【０００５】
本発明は、上記の課題を解決するためになされたものであって、日記を容易に生成可能な日記生成装置、日記生成システム、日記生成方法、及びプログラムを提供することを目的とする。
【課題を解決するための手段】
【０００６】
上記の目的を達成するため、本発明の第１の観点に係る日記生成装置（４）は、端末装置（３）の利用履歴から該端末装置（３）のユーザの行動を特定し、所定の規則に従って、前記ユーザの行動を表す文章を生成し、前記文章を所定の順序で記載して日記を生成する、ことを特徴とする。【０００７】
上記の日記生成装置（４）は、前記ユーザの各行動の重要度を規定する重要度テーブル（５）を備え、前記端末装置（３）の利用履歴から特定した前記ユーザの行動の重要度を、前記重要度テーブル（５）から特定し、前記ユーザの行動を前記日記に記載するか否かを、該行動の重要度に応じて異なる割合で決定する、ようにしてもよい。【０００８】
上記の日記生成装置（４）は、前記ユーザの行動を表す文章を、該行動の重要度に応じて異なる文体で生成する、ようにしてもよい。【０００９】
上記の日記生成装置（４）は、前記ユーザの行動を表す文章の前記日記に占める割合を、該行動の重要度に応じて異ならせる、ようにしてもよい。【００１０】
上記の日記生成装置（４）は、前記ユーザの生体情報を測定する生体情報測定装置（２）より取得した該ユーザの生体情報から、該ユーザの心理状態を特定し、前記ユーザの行動を表す文章を、該ユーザの心理状態に応じて異なる文体で生成する、ようにしてもよい。【００１１】
上記の日記生成装置（４）は、前記端末装置（３）からネットワーク（Ｎ）を介して送信される、該端末装置（３）の利用履歴を含む日記生成要求を受信したことに応答して、該日記生成要求に含まれる該端末装置（３）の利用履歴から前記ユーザの行動を特定し、前記所定の規則に従って、前記ユーザの行動を表す文章を生成し、前記文章を前記所定の順序で記載して日記を生成し、前記日記を前記ネットワーク（Ｎ）を介して前記端末装置（３）に表示させる、ようにしてもよい。【００１２】
本発明の第２の観点に係る日記生成システム（１）は、端末装置（３）と、前記端末装置（３）とネットワーク（Ｎ）を介して接続され、該端末装置（３）のユーザの日記を生成する日記生成装置（４）と、を具備する日記生成システム（１）であって、前記端末装置（３）は、該端末装置（３）の利用履歴を含む日記生成要求を前記ネットワーク（Ｎ）を介して前記日記生成装置（４）に送信し、前記日記生成装置（４）は、前記端末装置（３）からネットワーク（Ｎ）を介して送信される前記日記生成要求を受信したことに応答して、該日記生成要求に含まれる該端末装置（３）の利用履歴から前記ユーザの行動を特定し、前記所定の規則に従って、前記ユーザの行動を表す文章を生成し、前記文章を前記所定の順序で記載して日記を生成し、前記日記を前記ネットワーク（Ｎ）を介して前記端末装置（３）に表示させる、ことを特徴とする。【００１３】
本発明の第３の観点に係る日記生成方法は、端末装置（３）の利用履歴から該端末装置（３）のユーザの行動を特定し、所定の規則に従って、前記ユーザの行動を表す文章を生成し、前記文章を所定の順序で記載して日記を生成する、ことを特徴とする。【００１４】
本発明の第４の観点に係るプログラムは、コンピュータに、端末装置（３）の利用履歴から該端末装置（３）のユーザの行動を特定する手順と、所定の規則に従って、前記ユーザの行動を表す文章を生成する手順と、前記文章を所定の順序で記載して日記を生成する手順と、を実行させる。
【発明の効果】
【００１５】
本発明によれば、日記を容易に生成可能な日記生成装置、日記生成システム、日記生成方法、及びプログラムを提供することができる。
【図面の簡単な説明】
【００１６】
【図１】本実施形態に係る日記生成システムの構成例を示す図である。
【図２】生体情報測定装置の構成例を示すブロック図である。
【図３】端末装置の構成例を示すブロック図である。
【図４】サーバ装置の構成例を示すブロック図である。
【図５】重要度テーブルの構成例を示す図である。
【図６】日記生成テーブルの構成例を示す図である。
【図７】日記を例示する図である。
【図８】グラフを例示する図である。
【図９】日記生成処理の詳細を示すフローチャートである。
【図１０】日記生成処理の続きを示すフローチャートである。
【発明を実施するための形態】
【００１７】
以下、本発明を実施するための最良の形態について説明する。
【００１８】
まず、本発明の実施形態に係る日記生成システムの構成について図面を参照しつつ説明する。
【００１９】
本実施形態に係る日記生成システムは、ギャンブル依存症の治療のための日記を容易に生成可能ならしめるものである。
【００２０】
図１は、本実施形態に係る日記生成システムの構成例を示す図である。
【００２１】
図１に示すように、日記生成システム１は、生体情報測定装置２と、端末装置３と、サーバ装置（日記生成装置）４と、を具備し、これらは、インターネット等のネットワークＮを介して相互に通信可能に接続される。
【００２２】
図２は、生体情報取得機器の構成例を示すブロック図である。
【００２３】
図２に示すように、生体情報測定装置２は、脈波測定部２１と、通信部２２と、処理部２３と、を備える。
【００２４】
脈波測定部２１は、例えば所定波長（例えば、９４０ｎｍ）の赤外線を照射する赤外線ＬＥＤ（Light Emitting Diode）、及び照射した赤外線の反射光を受光する赤外線フォトレジスタ等から構成される。脈波測定部２１は、ユーザの手首などに装着可能な腕時計型の装置であって、皮下の血管中のヘモグロビンによる光吸収により、ユーザの脈拍動（脈波）を測定する。具体的に、脈波測定部２１は、赤外線ＬＥＤから赤外光をユーザの手首付近の皮膚に照射し、その反射光を赤外線フォトレジスタで受光する。そして、脈波測定部２１は、赤外線の光量を光電信号に変換することによって、ユーザの脈拍動（脈波）を検出する。例えば、ユーザの手首近傍の血流量が増加した場合には脈波測定部２１の検出値が上昇し、血流量が減少した場合には脈波測定部２１の検出値が下降する。このように、脈波測定部２１の検出値が脈動する脈波部分が、脈波信号として生成され、処理部２３へ出力される。
【００２５】
通信部２２は、例えばBluetooth（登録商標）機能を有する汎用の無線通信装置等から構成される。通信部２２は、Bluetooth（登録商標）を介して端末装置３と無線通信を行う。
【００２６】
処理部２３は、例えばＭＣＵ（Micro Controller Unit）等から構成される。処理部２３は、脈波測定部２１の赤外線ＬＥＤから照射される赤外線の光量を制御したり、脈波測定部２１から出力された脈波信号をＡ／Ｄ変換して脈波データを生成したりする。そして、処理部２３は、通信部２２を介して、脈波データを順次端末装置３へ出力する。
【００２７】
端末装置３は、例えば汎用のスマートフォンや、タブレットコンピュータ、パーソナルコンピュータ等から構成される。
【００２８】
図３は、端末装置の構成例を示すブロック図である。
【００２９】
図３に示すように、端末装置３は、記憶部３１と、タッチパネル３２と、通信部３３と、制御部３４と、を備え、これらはバス等を介して接続される。
【００３０】
記憶部３１は、例えば汎用のフラッシュメモリ等の不揮発性メモリ等から構成される。記憶部３１には、各種アプリケーションプログラムがインストールされている。本実施形態において、各種アプリケーションプログラムには、ウェブブラウザ、ＳＮＳ（Social Networking Service）を利用するためのアプリケーションプログラム（以下、「ＳＮＳアプリ」という。）、勝馬投票券（以下、「馬券」という）を購入するためのアプリケーションプログラム（以下、「馬券購入アプリ」という。）、ギャンブル依存症を治療するためのアプリケーションプログラム（以下、「治療アプリ」という。）、及び日記を生成するためのアプリケーションプログラム（以下、「日記生成アプリ」という。）等が含まれる。
【００３１】
記憶部３１は、日時と、脈波データと、端末装置３の利用履歴を示すログデータと、を対応付けて登録する。本実施形態において、端末装置３の利用履歴には、各種アプリケーションプログラムの利用履歴や、ウェブブラウザ及びＳＮＳアプリにおける閲覧履歴（閲覧したウェブサイトのＵＲＬ（Uniform Resource Locator）や閲覧期間等）、馬券の購入履歴（購入金額等）、端末装置３の位置情報等が含まれる。
【００３２】
タッチパネル３２は、例えば液晶表示装置とポインティングデバイスとを組み合わせた汎用のタッチパネル等から構成される。タッチパネル３２は、各種画面を表示するとともに、ユーザによる各種操作を受け付ける。本実施形態において、ユーザは、タッチパネル３２に表示されるアプリケーションプログラムのアイコンをタップして、アプリケーションプログラムを起動したり、馬券購入アプリにおいて馬券の購入を指示したり、日記生成アプリにおいて日付を指定した後、日記の生成を指示したりする。そして、タッチパネル３２には、日記生成アプリにおいて生成された日記が表示される。
【００３３】
通信部３３は、例えば無線ＬＡＮ（Local Area Network）機能、Bluetooth（登録商標）機能、及びＧＰＳ（Global Positioning System）機能を有する汎用の無線通信装置等から構成される。通信部３３は、Bluetooth（登録商標）を介して生体情報測定装置２と無線通信を行う。また、通信部３３は、ネットワークＮを介してサーバ装置４と無線通信を行う。さらに、通信部３３は、図示せぬＧＰＳ衛星から図示せぬＧＰＳアンテナを介して端末装置３の現在の位置情報を取得する。本実施形態において、通信部３３は、生体情報測定装置２からBluetooth（登録商標）を介して脈波データを順次受信する。また、通信部３３は、日記の生成を要求する日記生成要求をネットワークＮを介してサーバ装置４に送信する。そして、通信部３３は、サーバ装置４からネットワークＮを介して送信される日記を表示するための画像データ（以下、「日記表示データ」という。）や、治療アプリの効果を表すグラフを表示するための画像データ（以下、「グラフ表示データ」という。）等を受信する。
【００３４】
制御部３４は、例えばＣＰＵ（Central Processing Unit）、ＲＯＭ（Read Only Memory）、及びＲＡＭ（Random Access Memory）等から構成される。ＣＰＵは、ＲＡＭをワークメモリとして用い、ＲＯＭ及び記憶部３１に記憶されている各種プログラム等を適宜実行することによって、端末装置３の各種動作を制御する。
【００３５】
本実施形態において、制御部３４は、ユーザがウェブブラウザ及びＳＮＳアプリにおいてウェブサイトを閲覧する毎に、日時と、脈波データと、ログデータとして閲覧履歴と、を対応付けて記憶部３２に登録する。また、制御部３４は、ユーザが馬券購入アプリにおいて馬券を購入する毎に、日時と、脈波データと、ログデータとして購入履歴と、を対応付けて記憶部３２に登録する。
【００３６】
制御部３４は、ユーザがタッチパネル３２に表示される日記生成アプリにおいて日付を指定した後、日記の生成を指示じたことに応答して、ユーザが指定した日付に含まれる日時の脈波データ及びログデータを、記憶部３１から読み出す。そして、制御部３４は、記憶部３１から読み出した日時の脈波データ及びログデータを含む日記生成要求を、通信部３３からネットワークＮを介してサーバ装置４に送信する。その後、制御部３４は、サーバ装置４からネットワークＮを介して送信される日記表示データを通信部３３で受信したことに応答して、日記表示データに基いて、日記をタッチパネル３２に表示する。
【００３７】
また、制御部３４は、サーバ装置４からネットワークＮを介して送信されるグラフ表示データを通信部３３で受信したことに応答して、グラフ表示データに基いて、グラフをタッチパネル３２に表示する。
【００３８】
図１に示すサーバ装置４は、例えば汎用のサーバコンピュータや汎用のデータベース（DataBase；ＤＢ）等から構成される。サーバ装置４は、端末装置３のユーザの日記を生成する日記生成装置である。
【００３９】
図４は、サーバ装置の構成例を示すブロック図である。
【００４０】
図４に示すように、サーバ装置４は、通信部４１と、記憶部４２と、制御部４３と、を備え、これらはバス等を介して接続される。
【００４１】
通信部４１は、例えばＮＩＣ（Network Interface Card）等から構成される。通信部４１は、ネットワークＮを介して端末装置３と無線通信を行う。本実施形態において、通信部４１は、端末装置３からネットワークＮを介して送信される日記生成要求を受信する。そして、通信部４１は、日記表示データやグラフ表示データ等をネットワークＮを介して端末装置３に送信する。
【００４２】
記憶部４２は、例えば汎用のハードディスクドライブ等から構成される。記憶部４２には、各種アプリケーションプログラムがインストールされている。本実施形態において、各種アプリケーションプログラムには、日記を生成するための日記生成エンジン等が含まれている。また、記憶部４２は、重要度テーブル５と、日記生成テーブル６と、を備える。
【００４３】
図５は、重要度テーブルの構成例を示す図である。
【００４４】
図５に示すように、重要度テーブル５は、ユーザの行動毎に、その重要度を規定するものである。重要度テーブル５において、例えば「馬券購入アプリの利用」、「競馬場へ行く」、及び「場外勝馬投票券販売所へ行く」等という行動に対しては、重要度が高いことを示す「高」が設定されている。また、「治療アプリの利用」や「競馬関連のウェブサイトを閲覧」等という行動に対しては、重要度が中程度であることを示す「中」が設定されている。
【００４５】
図６は、日記生成テーブルの構成例を示す図である。
【００４６】
図６に示すように、日記生成テーブル６は、日記を生成するためのバッファとして用いられるもので、時系列に従って、ユーザの行動毎に、そのときの脈波と、その行動の重要度と、を対応付けて登録する。
【００４７】
図４に示す制御部４３は、例えばＣＰＵ、ＲＯＭ、及びＲＡＭ等から構成される。ＣＰＵは、ＲＡＭをワークメモリとして用い、ＲＯＭ及び記憶部４２に記憶されているプログラム等を適宜実行することによって、サーバ装置４の各種動作を制御する。
【００４８】
本実施形態において、制御部４３は、端末装置３からネットワークＮを介して送信される日記生成要求を通信部４１で受信したことに応答して、日記生成要求に含まれる脈波データ及びログデータから、ユーザが指定した日付における各時刻でのユーザの行動及び脈波を特定し、時系列に従って、日記生成テーブル６に対応付けて登録する。制御部４３は、日記生成要求に含まれる脈波データが示す脈波から、ユーザの心理状態を特定することができる。本実施形態において、制御部４３は、脈波が“１００”未満である場合、ユーザの心理状態を通常状態であると特定し、脈波が“１００”以上“１２０”未満である場合、やや興奮した状態であると特定し、脈波が“１２０”以上である場合、興奮した状態であると特定する。
【００４９】
図６に示す例では、ログデータのうち、各種アプリケーションプログラムの利用履歴から、「治療アプリ利用」という行動が特定される。また、ウェブブラウザ及びＳＮＳアプリにおける閲覧履歴から、「天皇賞関連ウェブサイト閲覧」、「競馬ライブ中継閲覧」、及び「エリザベス女王杯(11/15)関連ウェブサイト閲覧」という行動が特定される。さらに、端末装置３の位置情報から、「場外勝馬投票券販売所へ行く」、「居酒屋へ行く」、及び「帰宅」という行動が特定される。
【００５０】
図４に示す制御部４３は、特定した各行動の重要度を、そのときの脈波（ユーザの心理状態）と、重要度テーブル５と、から決定して、行動に対応付けて日記生成テーブル６に登録する。具体的に、制御部４３は、特定した行動のうち、重要度テーブル５において重要度が「高」に設定されているもの、又は脈波が“１００”以上であってユーザの心理状態がやや興奮状態か興奮状態であるものを、重要度が「高」の行動として決定する。一方、制御部４３は、特定した行動のうち、重要度テーブル５において重要度が「中」に設定されているもので、脈波が“１００”未満であってユーザの心理状態が通常状態であるものを、重要度が「中」の行動として決定する。他方、制御部４３は、特定した行動のうち、重要度テーブル５において重要度が「高」にも「中」にも設定されていないもので、脈波が“１００”未満であってユーザの心理状態が通常状態であるものを、重要度が低いことを示す「低」の行動として決定する。
【００５１】
図６に示す例では、「場外勝馬投票券販売所へ行く」という行動は、重要度テーブル５において重要度が「高」に設定されているので、重要度が「高」の行動として決定される。また、「天皇賞関連ウェブサイト閲覧」、「競馬ライブ中継閲覧」、及び「エリザベス女王杯(11/15)関連ウェブサイト閲覧」等の「競馬関連のウェブサイトを閲覧」という行動は、重要度テーブル５において重要度が「中」に設定されているが、そのときの脈波がいずれも“１００”以上であってユーザの心理状態がやや興奮状態か興奮状態であるので、重要度が「高」の行動として決定される。一方、「治療アプリ利用」という行動は、重要度テーブル５において重要度が「中」に設定され、且つそのときの脈波がいずれも“１００”未満であってユーザの心理状態が通常状態であるので、重要度が「中」の行動として決定される。他方、「居酒屋へ行く」及び「帰宅」という行動は、重要度テーブル５において重要度が「高」にも「中」にも設定されておらず、且つそのときの脈波がいずれも“１００”未満であってユーザの心理状態が通常状態であるので、重要度が「低」の行動として決定される。
【００５２】
図４に示す制御部４３は、特定した行動のうち、日記に記載する行動を、その重要度に応じて決定する。すなわち、制御部４３は、ユーザの行動を日記に記載するか否かを、行動の重要度に応じて異なる割合で決定する。具体的に、制御部４３は、重要度が「高」の行動については、第１の割合（本実施形態では「略１００％」）で、日記に記載するものを決定する。一方、制御部４３は、重要度が「中」の行動については、第２の割合（本実施形態では「略５０％」）で、日記に記載するものを決定する。他方、制御部４３は、重要度が「高」でも「中」でもない行動、すなわち重要度が「低」の行動については、第３の割合（本実施形態では「略２５％」）で、日記に記載するものを決定する。なお、第１〜第３の割合は、任意であり、例えば全て「略３３％」であってもよい。
【００５３】
続いて、制御部４３は、日記に記載する各行動についての文体を、その重要度及びそのときの脈波に応じて決定して、所定の規則に従って、各行動を表す文章を生成する。すなわち、制御部４３は、ユーザの行動を表す文章を、行動の重要度と、ユーザの心理状態と、に応じて異なる文体で生成する。具体的に、制御部４３は、重要度が「中」又は「低」の行動については、「…した。」や「…だった。」といった通常の文体で文章を生成する。また、制御部４３は、重要度が「高」の行動であっても、そのときの脈波が“１００”未満であってユーザの心理状態が通常状態であるものについては、重要度が「中」又は「低」の行動と同様、「…した。」や「…だった。」といった通常の文体で文章を生成する。一方、制御部４３は、重要度が「高」の行動であって、そのときの脈波が“１００”以上“１２０”未満であってユーザの心理状態がやや興奮した状態であるものについては、「…した！」や「…だった！」等といったやや興奮した状態を表す文体で文章を生成する。他方、制御部４３は、重要度が「高」の行動であって、そのときの脈波が“１２０”以上であってユーザの心理状態が興奮した状態であるものについては、「…したぜ！」や「…だったぜ！」等といった興奮した状態を表す文体で文章を生成する。
【００５４】
図６に示す例では、重要度が「中」の最初の「治療アプリ利用」という行動については、所定の規則に従って、治療アプリの継続期間をユーザに通知すべく、「今日もお昼の治療アプリ利用。これで１５１日間継続できた。」といった通常の文体で文章が生成される。また、重要度が「低」の「帰宅」及び「中」の最初以外の「治療アプリ利用」という行動については、所定の規則に従って、治療アプリの継続期間をユーザに通知されることなく、「帰宅して治療アプリ利用した。」といった通常の文体で文章が生成される。
【００５５】
一方、重要度が「高」の「天皇賞関連ウェブサイト閲覧」、「場外勝馬投票券販売所へ行く」、及び「競馬ライブ中継閲覧」という行動であって、そのときの脈波が“１２０”以上であってユーザの心理状態が興奮した状態であるものについては、それぞれ所定の規則に従って、「天皇賞が気になって仕方ないぜ！」、「場外勝馬投票券販売所で馬券を購入したぜ！」、及び「結果は４着だったぜ！」等といった興奮した状態を表す文体で文章が生成される。他方、重要度が「高」の「エリザベス女王杯(11/15)関連ウェブサイト閲覧」という行動であって、そのときの脈波が“１００”以上“１２０”未満であってユーザの心理状態がやや興奮した状態であるものについては、所定の規則に従って、「エリザベス女王杯の出走馬が気になる！」等といったやや興奮した状態を表す文体で文章が生成される。
【００５６】
なお、制御部４３は、日記に記載する各行動についての文体に加えて、あるいは文体に変えて口調等を、その重要度及びそのときの脈波に応じて決定してもよい。
【００５７】
そして、制御部４３は、生成した各行動を表す文章を、所定の順序（本実施形態では「時系列」）で記載して、図７に示すような、行動を表す文章からなる日記を生成する。このとき、制御部４３は、重要度毎に、日記全体に占める割合を設定してもよい。すなわち、制御部４３は、ユーザの行動を表す文章の日記に占める割合を、行動の重要度に応じて異ならせてもよい。例えば、制御部４３は、重要度が「高」の行動を表す文章の文字数を、日記全体の総文字数の略６０％とし、重要度が「中」の行動を表す文章の文字数を、日記全体の総文字数の略３０％とし、重要度が「低」の行動を表す文章の文字数を、日記全体の総文字数の略１０％としてもよい。あるいは、制御部４３は、各重要度の行動を表す文章の文字数を、いずれも略３３％としてもよい。
【００５８】
続いて、制御部４３は、生成した日記を表示するための画像データである日記表示データを生成する。そして、制御部４３は、生成した日記表示データを通信部４１からネットワークＮを介して端末装置３に送信する。
【００５９】
また、制御部４３は、日記生成要求に含まれるログデータから、所定期間（本実施形態では「一月」）における馬券の購入回数、競馬関連ウェブサイトの閲覧回数及び閲覧期間、並びに治療アプリの利用回数を特定する。なお、所定期間は、一日や一週間等でもよく、任意である。その後、制御部４３は、所定期間毎の馬券の購入回数、競馬関連ウェブサイトの閲覧回数及び閲覧期間、並びに治療アプリの利用回数をグラフ化して、図８に示すような治療アプリの効果を表すグラフを生成する。そして、制御部４３は、グラフを表示するための画像データを生成して、通信部４１からネットワークＮを介して端末装置３に送信する。
【００６０】
次に、上記構成を備える日記生成システム１が実行する日記生成処理について図面を参照して説明する。
【００６１】
ユーザが端末装置３のタッチパネル３２に表示される日記生成アプリにおいて日付（例えば天皇賞がある２０２０年１１月１日）を指定した後、日記の生成を指示じたことに応答して、日記生成システム１は、日記生成処理を開始する。
【００６２】
図９及び図１０は、日記生成処理の詳細を示すフローチャートである。
【００６３】
図９及び図１０に示す日記生成処理において、まず、端末装置３の制御部３４は、ユーザが指定した日付に含まれる日時の脈波データ及びログデータを、記憶部３１から読み出す（図９に示すステップＳ９１）。
【００６４】
そして、制御部３４は、記憶部３１から読み出した日時の脈波データ及びログデータを含む日記生成要求を、通信部３３からネットワークＮを介してサーバ装置４に送信する（ステップＳ９２）。
【００６５】
サーバ装置４の制御部４３は、端末装置３からネットワークＮを介して送信される日記生成要求を通信部４１で受信したことに応答して（ステップＳ９３）、日記生成要求に含まれる脈波データ及びログデータから、ユーザが指定した日付における各時刻でのユーザの行動及び脈波を特定し（ステップＳ９４）、時系列に従って、日記生成テーブル６に対応付けて登録する（ステップＳ９５）。
【００６６】
そして、制御部４３は、特定した各行動の重要度を、そのときの脈波と、重要度テーブル５と、から決定して（ステップＳ９６）、行動に対応付けて日記生成テーブル６に登録する（ステップＳ９７）。
【００６７】
次に、制御部４３は、特定した行動のうち、日記に記載する行動を、その重要度に応じて決定する（ステップＳ９８）。
【００６８】
続いて、制御部４３は、日記に記載する各行動についての文体を、その重要度及びそのときの脈波に応じて決定して（ステップＳ９９）、各行動を表す文章を生成する（図１０に示すステップＳ１００）。
【００６９】
そして、制御部４３は、ステップＳ１００で生成した各行動を表す文章を、時系列に記載して、行動を表す文章からなる日記を生成する（ステップＳ１０１）。
【００７０】
続いて、制御部４３は、ステップＳ１０１で生成した日記を表示するための画像データである日記表示データを生成する（ステップＳ１０２）。
【００７１】
そして、制御部４３は、ステップＳ１０２で生成した日記表示データを通信部４１からネットワークＮを介して端末装置３に送信する（ステップＳ１０３）。
【００７２】
その後、端末装置３の制御部３４は、サーバ装置４からネットワークＮを介して送信される日記表示データを通信部３３で受信したことに応答して（ステップＳ１０４）、日記表示データに基いて、図７に示す日記をタッチパネル３２に表示してから（ステップＳ１０５）、日記正生成処理を終了する。
【００７３】
以上説明したように、本実施形態に係る日記生成システム１は、ユーザの生体情報を測定する生体情報測定装置２と、端末装置３と、端末装置３とネットワークＮを介して接続され、端末装置３のユーザの日記を生成する日記生成装置であるサーバ装置４と、を具備する。端末装置３は、端末装置３の利用履歴と、生体情報測定装置２より取得したユーザの生体情報と、を含む日記生成要求をネットワークＮを介してサーバ装置４に送信する。
【００７４】
サーバ装置４は、端末装置３からネットワークＮを介して送信される日記生成要求を受信したことに応答して、日記生成要求に含まれる端末装置３の利用履歴からユーザの行動を特定する。また、サーバ装置４は、日記生成要求に含まれるユーザの生体情報である脈波データから、ユーザの心理状態を特定する。サーバ装置４は、ユーザの各行動の重要度を規定する重要度テーブル５を備える。サーバ装置４は、端末装置３の利用履歴から特定したユーザの行動の重要度を、重要度テーブル５から特定する。そして、サーバ装置４は、ユーザの行動を日記に記載するか否かを、行動の重要度に応じて異なる割合で決定する。また、サーバ装置４は、所定の規則に従って、ユーザの行動を表す文章を、行動の重要度と、ユーザの心理状態と、に応じて異なる文体で生成する。そして、サーバ装置４は、文章を所定の順序で記載して日記を生成し、日記をネットワークＮを介して端末装置３に表示させる。なお、サーバ装置４は、ユーザの行動を表す文章の日記に占める割合を、行動の重要度に応じて異ならせてもよい。
【００７５】
このように、本実施形態に係る日記生成システム１によれば、端末装置３の利用履歴からユーザの行動を特定するとともに、ユーザの生体情報からユーザの心理状態を特定し、特定したユーザの行動及び心理状態から、日記を容易に生成することができる。
【００７６】
なお、本発明は、上記の実施形態に限定されず、種々の変形、応用が可能である。以下、本発明に適用可能な上記の実施形態の変形態様について、説明する。
【００７７】
上記の実施形態において、日記はサーバ装置４が生成するものとして説明した。しかしながら、本発明はこれに限定されるものではなく、端末装置３が日記を生成してもよい。すなわち、端末装置３自身が、本発明に係る日記生成装置であってもよい。
【００７８】
上記の実施形態において、日記は、ギャンブル依存症の治療のためのものであるとして説明した。しかしながら、本発明はこれに限定されるものではなく、日記の目的は任意である。
【００７９】
上記の実施形態では、治療対象として、ギャンブル依存症を例に説明した。しかしながら、本発明はこれに限定されるものではなく、治療対象は、日記が治療に有効であるものであれば任意であり、ＭＣＩ、認知症や、発達障害、等であってもよい。あるいは、高血圧や、慢性疼痛、がん等の内科系の疾患等であってもよい。
【００８０】
上記の実施形態において、生体情報は、ユーザの脈波であるものとして説明した。しかしながら、本発明はこれに限定されるものではなく、ユーザの心理状態が特定されるものであれば任意であり、例えばユーザの脳波や、瞳孔の変化、血圧、体温等であってもよい。生体情報は、ユーザの脈波、脳波、瞳孔の変化、血圧、及び体温等の単独であってもよく、これらの組合せであってもよい。
【００８１】
上記の実施形態において、処理部２３、並びに制御部３４及び４３のＣＰＵが実行するプログラムは、予めＲＯＭ、並びに記憶部３１及び４２等に記憶されるものとして説明したが、本発明はこれに限定されるものではなく、上述の処理を実行させるためのプログラムを、既存の汎用コンピュータに適用することで、上記の実施形態に係る生体情報測定装置２、端末装置３、及びサーバ装置４として機能させてもよい。
【００８２】
このようなプログラムの提供方法は任意であり、例えばコンピュータが読取可能な記録媒体（フレキシブルディスク、ＣＤ（Compact Disc）−ＲＯＭ、ＤＶＤ（Digital Versatile Disc）−ＲＯＭ等）に格納して配布してもよいし、インターネット等のネットワーク上のストレージにプログラムを格納しておき、これをダウンロードさせることにより提供してもよい。
【００８３】
さらに、上記の処理をＯＳ（Operating System）とアプリケーションプログラムとの分担、又はＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（ＢＢＳ：Bulletin Board System）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【００８４】
なお、本発明は、本発明の広義の精神と範囲を逸脱することなく、様々な実施の形態及び変形が可能とされるものである。また、上述した実施の形態は、本発明の一実施例を説明するためのものであり、本発明の範囲を限定するものではない。
【符号の説明】
【００８５】
１        日記生成システム
２        生体情報測定装置
３        端末装置
４        サーバ装置（日記生成装置）
３１，４２  記憶部
３２        タッチパネル
２２，３３，４１  通信部
３４，４３  制御部
２３              処理部
５        重要度テーブル
６        日記生成テーブル
【要約】日記を容易に生成する。
日記生成システム（１）において、端末装置（３）は、端末装置（３）の利用履歴を含む日記生成要求をネットワーク（Ｎ）を介してサーバ装置（４）に送信する。サーバ装置（４）は、端末装置（３）からネットワーク（Ｎ）を介して送信される日記生成要求を受信したことに応答して、日記生成要求に含まれる端末装置（３）の利用履歴からユーザの行動を特定する。そして、サーバ装置（４）は、文章を所定の順序で記載して日記を生成し、日記をネットワーク（Ｎ）を介して端末装置（３）に表示させる。【図１】
0006883370.tif 000002
【図２】
0006883370.tif 000003
【図３】
0006883370.tif 000004
【図４】
0006883370.tif 000005
【図５】
0006883370.tif 000006
【図６】
0006883370.tif 000007
【図７】
0006883370.tif 000008
【図８】
0006883370.tif 000009
【図９】
0006883370.tif 000010
【図１０】
0006883370.tif 000011